(57)【要約】【課題】ユーザの誤操作によって給湯中に給湯温度の設定が変更されるのを防止する。【解決手段】暖房給湯システムは、暖房端末に関する暖房温度の設定を行うための暖房温度設定ボタン１０１、及び、給湯端末にて供給される水の給湯温度の設定を行うための給湯温度設定ボタン１０２、暖房温度設定ボタン１０１の操作によって設定される暖房設定温度Ｔ１と給湯温度設定ボタン１０２の操作によって設定される給湯設定温度Ｔ２とを表示可能な表示部１０３を有するコントローラを備えている。そして、給湯検知手段により給湯端末において給湯中であると検知された場合には、リモコン１００ｂにおいて、給湯設定温度Ｔ２の変更が禁止される。【選択図】図５
2009287891.tif 000002
【特許請求の範囲】
【請求項１】
貯湯タンクと、
前記貯湯タンクに付設され、前記貯湯タンクの循環液を加熱して当該貯湯タンクへと返流するヒートポンプユニットと、
前記貯湯タンクに接続され、温水を給湯端末に供給するための出湯流路と、
前記貯湯タンクに接続され、循環液を当該貯湯タンクと暖房端末との間で循環させる循環路と、
前記給湯端末において給湯中か否かを検知する給湯検知手段と、
前記給湯端末にて供給される水の給湯温度の設定を行うための給湯温度入力部、前記暖房端末に関する暖房温度の設定を行うための暖房温度入力部、及び、前記給湯温度入力部の操作によって設定される給湯設定温度と前記暖房温度入力部の操作によって設定される暖房設定温度とを表示可能な表示部を有する１又は複数のコントローラとを備え、
前記給湯検知手段により前記給湯端末において給湯中であると検知された場合には、少なくとも１つのコントローラにおいて、前記給湯設定温度の変更が禁止されることを特徴とする、暖房給湯システム。
【請求項２】
前記給湯検知手段により前記給湯端末において給湯中であると検知された場合には、全てのコントローラにおいて、前記給湯設定温度の変更が禁止されることを特徴とする、請求項１に記載の暖房給湯システム。
【請求項３】
前記コントローラの表示部において、前記給湯設定温度と前記暖房設定温度とは、同一の表示領域に表示されることを特徴とする、請求項１又は２に記載の暖房給湯システム。
【請求項４】
前記給湯検知手段により前記給湯端末において給湯中であると検知された場合には、前記コントローラの表示部において、給湯中である旨が表示されることを特徴とする、請求項１〜３のいずれか１項に記載の暖房給湯システム。
【請求項５】
前記給湯検知手段により前記給湯端末において給湯中であると検知された場合に前記給湯温度入力部の操作が行われたときには、前記コントローラの表示部において、操作無効である旨が表示されることを特徴とする、請求項１〜４のいずれか１項に記載の暖房給湯システム。
【請求項６】
前記給湯検知手段により前記給湯端末において給湯中でないと検知された場合に前記給湯温度入力部が操作されたときに限り、前記コントローラの表示部において、前記給湯設定温度が表示されることを特徴とする、請求項１〜５のいずれか１項に暖房給湯システム。
【請求項７】
前記給湯検知手段により前記給湯端末において給湯中でないと検知された場合に前記給湯温度入力部が操作されたときに限り、前記コントローラの表示部において、前記給湯設定温度に加えて、前記給湯設定温度が変更中である旨が表示されることを特徴とする、請求項６に暖房給湯システム。
【請求項８】
貯湯タンク、前記貯湯タンクに付設され、前記貯湯タンクの循環液を加熱して当該貯湯タンクへと返流するヒートポンプユニット、前記貯湯タンク内に配置され、給水源から供給される水が内部を流れる熱交換器、前記熱交換器の内部を流れた水を給湯端末に供給するための出湯流路、貯湯タンクに貯留される循環液を当該貯湯タンクと暖房端末との間で循環させる循環路、及び、前記給湯端末において給湯中か否かを検知する給湯検知手段を有する暖房給湯装置のコントローラであって、
前記給湯端末にて供給される水の給湯温度の設定を行うための給湯温度入力部と、
前記暖房端末に関する暖房温度の設定を行うための暖房温度入力部と、
前記給湯温度入力部の操作によって設定される給湯設定温度と前記暖房温度入力部の操作によって設定される暖房設定温度とを表示可能な表示部とを備え、
前記給湯検知手段により前記給湯端末において給湯中であると検知された場合には、前記給湯設定温度の変更が禁止されることを特徴とする、コントローラ。
【発明の詳細な説明】
【技術分野】
【０００１】
本発明は、暖房給湯システム及びコントローラに関し、特に、給湯端末及び暖房端末に加熱された水及び循環液を供給する暖房給湯システムおよびそのコントローラに関する。
【背景技術】
【０００２】
近年、ヒートポンプユニットと、このヒートポンプユニットで加熱された温水を貯留する貯湯タンクと、この貯湯タンク内に配置された熱交換器とを備える暖房給湯システムが開発されている（例えば、特許文献１参照）。この特許文献１に開示される暖房給湯システムでは、熱交換器の内部を流れた水を暖房端末に供給すると共に、貯湯タンク内の水を給湯端末に供給している。この種の暖房給湯システムでは、リビングやキッチンなどに設置されたリモコンによって、暖房端末が設置される部屋の室内温度の設定と、給湯端末にて供給される水の給湯温度とを設定する。
【０００３】
図６は、従来の一例による暖房給湯システムのリモコンを示した図である。図６に示すように、暖房給湯システムのリモコン５００ｂには、暖房端末が設置される部屋の室内温度の設定を行うための暖房温度入力部５０１と、給湯端末にて供給される水の給湯温度の設定を行うための給湯温度入力部５０２と、これらの入力部５０１，５０２の操作により設定された暖房設定温度Ｔ５０１及び給湯設定温度Ｔ５０２を表示可能な共通の表示部５０３が設けられている。これにより、ユーザは、暖房設定温度Ｔ５０１を変更する場合には表示部５０３に表示される暖房設定温度Ｔ５０１を見ながら暖房温度入力部５０１を操作し、給湯設定温度Ｔ５０２を変更する場合には表示部５０３に表示される給湯設定温度Ｔ５０２を見ながら給湯温度入力部５０２を操作する。
【特許文献１】特開２００４−２３２９１４号公報
【発明の開示】
【発明が解決しようとする課題】
【０００４】
しかしながら、図６に示した従来の暖房給湯システムのリモコン５００ｂでは、暖房設定温度Ｔ５０１を変更しようとしてユーザが給湯温度入力部５０２を誤操作してしまっても、ユーザは暖房設定温度Ｔ５０１が変更されていると勘違いする恐れがある（実際には給湯設定温度Ｔ５０２が変更されている）。このため、当該誤操作によって、給湯端末にてユーザが意図しない温度の水が供給されてしまう恐れがある。
【０００５】
そこで、この発明は、上記のような課題を解決するためになされたものであり、ユーザの誤操作によって給湯中に給湯温度の設定が変更されるのを防止することが可能な暖房給湯システム及びコントローラを提供することを目的とする。
【課題を解決するための手段】
【０００６】
第１の発明にかかる暖房給湯システムは、貯湯タンクと、貯湯タンクに付設され、貯湯タンクの循環液を加熱して当該貯湯タンクへと返流するヒートポンプユニットと、貯湯タンクに接続され、温水を給湯端末に供給するための出湯流路と、貯湯タンクに接続され、循環液を当該貯湯タンクと暖房端末との間で循環させる循環路と、給湯端末において給湯中か否かを検知する給湯検知手段と、給湯端末にて供給される水の給湯温度の設定を行うための給湯温度入力部、暖房端末に関する暖房温度の設定を行うための暖房温度入力部、及び、給湯温度入力部の操作によって設定される給湯設定温度と暖房温度入力部の操作によって設定される暖房設定温度とを表示可能な表示部を有する１又は複数のコントローラとを備えている。そして、給湯検知手段により給湯端末において給湯中であると検知された場合には、少なくとも１つのコントローラにおいて、給湯設定温度の変更が禁止される。
【０００７】
この暖房給湯システムでは、給湯設定温度の変更が禁止されているコントローラにおいて、ユーザが給湯中に暖房設定温度を変更しようとして給湯温度入力部を誤操作したとしても、給湯設定温度が変更されない。これにより、当該誤操作によって、給湯端末にてユーザが意図しない温度の水が供給されてしまうのを抑制することができる。
【０００８】
第２の発明にかかる暖房給湯システムは、第１の発明にかかる暖房給湯システムにおいて、給湯検知手段により給湯端末において給湯中であると検知された場合には、全てのコントローラにおいて、給湯設定温度の変更が禁止される。
【０００９】
この暖房給湯システムでは、全てのコントローラにおいて、ユーザが給湯中に暖房設定温度を変更しようとして給湯温度入力部を誤操作したとしても、給湯設定温度が変更されない。これにより、当該誤操作によって、給湯端末にてユーザが意図しない温度の水が供給されてしまうのを確実に防止することができる。
【００１０】
第３の発明にかかる暖房給湯システムは、第１又は第２の発明にかかる暖房給湯システムにおいて、コントローラの表示部において、給湯設定温度と暖房設定温度とは、同一の表示領域に表示される。
【００１１】
この暖房給湯システムでは、給湯設定温度と暖房設定温度とが同一の表示領域に表示されることで、上記した誤操作を招き易い場合でも、当該誤操作によって、給湯端末にてユーザが意図しない温度の水が供給されてしまうのを抑制することができる。
【００１２】
第４の発明にかかる暖房給湯システムは、第１〜第３の発明にかかる暖房給湯システムにおいて、給湯検知手段により給湯端末において給湯中であると検知された場合には、コントローラの表示部において、給湯中である旨が表示される。
【００１３】
この暖房給湯システムでは、ユーザに給湯中であることを報知することができる。
【００１４】
第５の発明にかかる暖房給湯システムは、第１〜第４のいずれかの発明にかかる暖房給湯システムにおいて、給湯検知手段により給湯端末において給湯中であると検知された場合に給湯温度入力部の操作が行われたときには、コントローラの表示部において、操作無効である旨が表示される。
【００１５】
この暖房給湯システムでは、給湯中における給湯温度入力部の操作によっては給湯設定温度の変更ができないことをユーザに報知することができる。
【００１６】
第６の発明にかかる暖房給湯システムは、第１〜第５のいずれかの発明にかかる暖房給湯システムにおいて、給湯検知手段により給湯端末において給湯中でないと検知された場合に給湯温度入力部が操作されたときに限り、コントローラの表示部において、給湯設定温度が表示される。
【００１７】
この暖房給湯システムでは、給湯設定温度を変更できるときに限り給湯設定温度を表示することで、誤操作を抑制することができる。
【００１８】
第７の発明にかかる暖房給湯システムは、第６の発明にかかる暖房給湯システムにおいて、給湯検知手段により給湯端末において給湯中でないと検知された場合に給湯温度入力部が操作されたときに限り、コントローラの表示部において、給湯設定温度に加えて、給湯設定温度が変更中である旨が表示される。
【００１９】
この暖房給湯システムでは、給湯設定温度を変更していることをユーザに報知することができる。
【００２０】
第８の発明にかかるコントローラは、貯湯タンク、貯湯タンクに付設され、貯湯タンクの循環液を加熱して当該貯湯タンクへと返流するヒートポンプユニット、貯湯タンク内に配置され、給水源から供給される水が内部を流れる熱交換器、熱交換器の内部を流れた水を給湯端末に供給するための出湯流路、貯湯タンクに貯留される循環液を当該貯湯タンクと暖房端末との間で循環させる循環路、及び、給湯端末において給湯中か否かを検知する給湯検知手段を有する暖房給湯装置のコントローラであって、給湯端末にて供給される水の給湯温度の設定を行うための給湯温度入力部と、暖房端末に関する暖房温度の設定を行うための暖房温度入力部と、給湯温度入力部の操作によって設定される給湯設定温度と暖房温度入力部の操作によって設定される暖房設定温度とを表示可能な表示部とを備え、給湯検知手段により給湯端末において給湯中であると検知された場合には、給湯設定温度の変更が禁止される。
【００２１】
このコントローラでは、ユーザが給湯中に暖房設定温度を変更しようとして給湯温度入力部を誤操作したとしても、給湯設定温度が変更されない。これにより、当該誤操作によって、給湯端末にてユーザが意図しない温度の水が供給されてしまうのを抑制することができる。
【発明の効果】
【００２２】
以上の説明に述べたように、本発明によれば、以下の効果が得られる。
【００２３】
第１の発明では、給湯設定温度の変更が禁止されるコントローラにおいて、ユーザが給湯中に暖房設定温度を変更しようとして給湯温度入力部を誤操作したとしても、給湯設定温度が変更されない。これにより、当該誤操作によって、給湯端末にてユーザが意図しない温度の水が供給されてしまうのを抑制することができる。
【００２４】
また、第２の発明では、全てのコントローラにおいて、ユーザが給湯中に暖房設定温度を変更しようとして給湯温度入力部を誤操作したとしても、給湯設定温度が変更されない。これにより、当該誤操作によって、給湯端末にてユーザが意図しない温度の水が供給されてしまうのを確実に防止することができる。
【００２５】
また、第３の発明では、給湯設定温度と暖房設定温度とが同一の表示領域に表示されることで、上記した誤操作を招き易い場合でも、当該誤操作によって、給湯端末にてユーザが意図しない温度の水が供給されてしまうのを抑制することができる。
【００２６】
また、第４の発明では、ユーザに給湯中であることを報知することができる。
【００２７】
また、第５の発明では、当該操作によっては給湯設定温度の変更ができないことをユーザに報知することができる。
【００２８】
また、第６の発明では、給湯設定温度を変更できるときに限り給湯設定温度を表示することで、誤操作を抑制することができる。
【００２９】
また、第７の発明では、給湯設定温度を変更していることをユーザに報知することができる。
【００３０】
第８の発明では、ユーザが給湯中に暖房設定温度を変更しようとして給湯温度入力部を誤操作したとしても、給湯設定温度が変更されない。これにより、当該誤操作によって、給湯端末にてユーザが意図しない温度の水が供給されてしまうのを抑制することができる。
【発明を実施するための最良の形態】
【００３１】
以下、図面に基づいて、本発明に係る暖房給湯システムの実施形態について説明する。
【００３２】
図１は、本発明の一実施形態に係る暖房給湯システムの構成を示す模式図である。図２は、図１に示した暖房給湯システムの貯湯タンク及び給湯用熱交換器の詳細を示した断面図である。図３は、図１に示した暖房給湯システムのリモコンを示した正面図である。以下、図１〜図３を参照して、暖房給湯システム１００について詳細に説明する。
【００３３】
本実施形態の暖房給湯システム１００は、図１に示すように、加熱された水及び循環液を供給する暖房給湯装置１００ａと、その暖房給湯装置１００ａの制御部６と通信可能に接続される２つのリモコン１００ｂとを備えている。そして、暖房給湯装置１００ａは、主として、ヒートポンプユニット１と、貯湯タンク２と、給湯用熱交換器３と、暖房用循環回路４と、沸上用循環回路５と、制御部６とを備えている。本実施形態の暖房給湯装置１００ａでは、貯湯タンク２に貯留された循環液が暖房用循環回路４を介してラジエータＡ（暖房端末）に供給されると共に、給湯用熱交換器３の内部を流れた水がキッチンや浴室など（給湯端末Ｂ）に供給される。
【００３４】
ヒートポンプユニット１は、貯湯タンク２に付設され、貯湯タンク２内の下部領域の循環液を加熱して貯湯タンク２内の上部領域へと返流する。このヒートポンプユニット１は、空気熱交換器（蒸発器）１１、圧縮機１２、水熱交換器（凝縮器）１３、過冷却熱交換器１４及び電動膨張弁１５を有する冷媒回路１６を有している。この冷媒回路１６には、ＣＯ２冷媒が循環している。また、空気熱交換器１１には、この空気熱交換器１１の能力を調整するファン１７が付設されている。
【００３５】
上記したＣＯ２冷媒は、空気熱交換器１１において、ファン１７から送られた空気中の熱を吸収してガス化する。そして、このＣＯ２冷媒は、圧縮機１２で圧縮されて高温となった後、水熱交換器１３に到達して貯湯タンク２から供給される循環液と熱交換熱する。これにより、ＣＯ２冷媒は、水熱交換器１３に入る前に比べて低温となって、過冷却熱交換器１４へ向かう。そして、ＣＯ２冷媒は、その過冷却熱交換器１４でさらに冷却された後、電動膨張弁１５を経て、空気熱交換器１１に戻る。
【００３６】
貯湯タンク２には、沸上用循環回路５を介して上記したヒートポンプユニット１が接続されると共に暖房用循環回路４を介してラジエータＡが接続されており、その内部には、ヒートポンプユニット１で加熱された循環液が貯留される。
【００３７】
この貯湯タンク２内の上下方向の略中央部には、図２に示すように、貯湯タンク２内の循環液を直接加熱するヒータ２０が設けられている。これにより、ヒートポンプユニット１の故障時にも、当該ヒータ２０を用いて、貯湯タンク２内の循環液を加熱することができると共に、ヒートポンプユニット１が循環液に与える熱量が不足している時にも、その不足分の熱量を当該ヒータ２０で補うことができる。また、このヒータ２０は、貯湯タンク２内の上下方向の略中央部に配置されているので、主として、ヒータ２０よりも上方にある循環液を加熱することになるが、貯湯タンク２内の上部領域の循環液は、貯湯タンク２内の下部領域の循環液に比べて高温であるから、短時間で循環液を高温にすることができる。特に、暖房負荷が瞬間的に増大した場合に効果的である。
【００３８】
また、貯湯タンク２には、一方端部２１ａが貯湯タンク２外に位置し、且つ、他方端部２１ｂが貯湯タンク２内であってヒータ２０の近傍且つ上方に位置する配管２１が設けられている。この配管２１の一方端部２１ａには、暖房用循環回路４の上流側他方端部４ｂが接続されており、ヒータ２０で加熱された直後の循環液を暖房用循環回路４に送り出すことが可能となっている。
【００３９】
また、貯湯タンク２には、貯湯タンク２内の各高さ位置における循環液の温度を検出するための温度センサ２２（図１参照）が複数設けられている。この複数の温度センサ２２により検出される温度に係る信号は、後述する制御部６に送信される。
【００４０】
貯湯タンク２の下部側には、利用側戻り接続口２３と、熱源側往き接続口２４と、凍結防止用戻り接続口２５とが設けられている。この利用側戻り接続口２３には、暖房用循環回路４の下流側端部４ｃが接続されている。これにより、ラジエータＡにて放熱して低温となった循環液が、貯湯タンク２内の下部領域に導入される。その結果、貯湯タンク２内の上部領域の比較的高温の循環液と、ラジエータＡにて比較的低温になった循環液とが混合して低温になるのを抑制することができる。また、熱源側往き接続口２４には、沸上用循環回路５の上流側端部５ａが接続されている。これにより、貯湯タンク２内の下部領域に存在する比較的低温の循環液を、沸上用循環回路５に送り出すことが可能となる。その結果、貯湯タンク２内の下部領域にある比較的低温の循環液がヒートポンプユニット１の水熱交換器１３に供給されることになるので、ヒートポンプユニット１のＣＯＰが向上する。また、凍結防止用戻り接続口２５には、沸上用循環回路５の下流側一方端部５ｂが接続されている。これにより、凍結防止運転中において十分に加熱されない循環液を貯湯タンク２内の下部領域に導入することが可能となる。なお、上記した凍結防止運転は、沸き上げ運転の停止中に行われる。
【００４１】
また、貯湯タンク２の頂部には、往き・戻り接続口２６が設けられている。この往き・戻り接続口２６には、暖房用循環回路４の上流側一方端部４ａ及び沸上用循環回路５の下流側他方端部５ｃが接続されている。これにより、ヒートポンプユニット１によって沸き上げられた比較的高温の循環液を、貯湯タンク２内の上部領域に導入することが可能となると共に、貯湯タンク２内の上部領域に存在する比較的高温の循環液を、暖房用循環回路４に送り出すことが可能となる。なお、暖房用循環回路４の上流側一方端部４ａと、沸上用循環回路５の下流側他方端部５ｃとは、共通の流路となっている。
【００４２】
給湯用熱交換器３は、図２に示すように、コイル状のパイプからなり、貯湯タンク２内の下部領域から上部領域に渡って配置されている。これにより、給水源Ｃ（図１参照）から供給されそのパイプを流通する水が、その周囲に貯留される循環液により加熱される。具体的には、給水源Ｃから供給される水は、給水流路３１を介して、貯湯タンク２内の下部領域に配置される下部コイル部３ａに導入される。そして、この下部コイル部３ａを上方に向かって流れた水は、貯湯タンク２内の上部領域に配置される上部コイル部３ｂに導入される。そして、この上部コイル部３ｂを上方に向かって流れた水は、出湯流路３２を介して、各給湯端末Ｂに供給される。このように、給湯用熱交換器３が、貯湯タンク２内の下部領域から上部領域に渡って配置されていて、給水源Ｃからの水が貯湯タンク２内の下部領域から上部領域に向かうので、当該水は給湯用熱交換器３の内部を流れる間に貯湯タンク２内の循環液により十分に加熱される。したがって、給湯用熱交換器３から高温の温湯が出湯可能となる。なお、下部コイル部３ａと上部コイル部３ｂとは、上記したヒータ２０を跨ぐように配置されている。
【００４３】
また、図１に示すように、給水流路３１と出湯流路３２との間には、混合弁３３が設けられている。この混合弁３３は、出湯流路３２を通過する温湯の温度を調整するために設けられている。具体的には、当該混合弁３３を開くことによって、出湯流路３２を通過する温湯と給水流路３１を通過する水とを混合して、給湯端末Ｂにおいて供給される温湯の温度を調整している。
【００４４】
また、出湯流路３２上には、給湯検知手段３４が設けられている。この給湯検知手段３４は、出湯流路３２に温湯が流れているか否かを判断して、給湯端末Ｂにおいて給湯中か否かを検知している。この給湯検知手段３４によって検知された給湯中か否かを示す信号（以下、給湯ＯＮ／ＯＦＦ信号とする）は、後述する制御部６に送信される。
【００４５】
暖房用循環回路４は、貯湯タンク２内に貯留された循環液を当該貯湯タンク２とラジエータＡとの間で循環させるものである。この暖房用循環回路４の上流側一方端部４ａは、貯湯タンク２の頂部に設けられる往き・戻り接続口２６に接続され、下流側端部４ｃは、利用側戻り接続口２３に接続されている。また、上流側他方端部４ｂは、貯湯タンク２に設けられる配管２１（図２参照）の一方端部２１ａに接続されている。そして、暖房用循環回路４上には、バイパス配管４１、混合弁４２、三方弁４３、温度センサ４４及び４５、循環ポンプ４６、複数のラジエータＡが設けられている。
【００４６】
バイパス配管４１は、ラジエータＡを経由して貯湯タンク２に戻る循環液の一部を混合弁４２へ案内するために設けられている。
【００４７】
混合弁４２は、貯湯タンク２から送り出された循環液が流入する入口と、上記したバイパス配管４１によって案内された循環液が流入する入口と、それらの入口から流入する循環液を混合して流出される出口とを有している。当該混合弁４２の各入口の開度は、後述する制御部６によって調節される。
【００４８】
三方弁４３は、暖房用循環回路４の上流側一方端部４ａが接続される往き・戻り接続口２６から送り出された循環液が流入する入口（以下、第１入口とする）と、暖房用循環回路４の上流側他方端部４ｂが接続される配管２１の他方端部２１ｂから送り出された循環液が流入する入口（以下、第２入口とする）と、その各入口から流入した循環液を送り出す出口とを有している。そして、この三方弁４３は、貯湯タンク２内の循環液の高温領域が配管２１の他方端部２１ｂ近傍に存在していない場合には、第１入口を開いて、往き・戻り接続口２６から循環液を取り出し、貯湯タンク２内の循環液の高温領域が配管２１の他方端部２１ｂ近傍に存在している場合には、第２入口を開いて、配管２１の他方端部２１ｂから循環液を取り出す。この三方弁４３の切り替えは、後述する制御部６によって行われる。
【００４９】
温度センサ４４は、貯湯タンク２からラジエータＡへ向かう循環液の温度（往き循環液温度）を検出するために設けられており、温度センサ４５は、ラジエータＡから貯湯タンク２へ向かう循環液の温度（戻り循環液温度）を検出するために設けられている。この温度センサ４４及び４５によって検出される温度を示す信号は、後述する制御部６に送信される。
【００５０】
循環ポンプ４６は、貯湯タンク２内の循環液を暖房用循環回路４内において循環させるために設けられている。
【００５１】
各ラジエータＡは、暖房用循環回路４内を循環する循環液の熱を直接取り出し、当該ラジエータＡが設置される室内に放熱する。これにより、暖房用循環回路４内を循環する循環液の熱をラジエータＡに効率良く供給できるので、北欧等の暖房負荷の高い地域でも十分な暖房を行うことができる。
【００５２】
沸上用循環回路５は、貯湯タンク２内に貯留された循環液を当該貯湯タンク２とヒートポンプユニット１との間で循環させるものである。この沸上用循環回路５の上流側端部５ａは、貯湯タンク２の下部側に設けられる熱源側往き接続口２４に接続され、下流側一方端部５ｂは、貯湯タンク２の下部側に設けられる凍結防止用戻り接続口２５に接続され、下流側他方端部５ｃは、貯湯タンク２の頂部に設けられる往き・戻り接続口２６に接続されている。そして、沸上用循環回路５上には、循環ポンプ５１、上記したヒートポンプユニット１の水熱交換器１３、三方弁５２、及び、温度センサ５３が設けられている。
【００５３】
循環ポンプ５１は、貯湯タンク２内の循環液を沸上用循環回路５において循環させるために設けられている。
【００５４】
三方弁５２は、上記した水熱交換器１３にて加熱された循環液が流入する入口と、往き・戻り接続口２６に向かって循環液を送り出す出口（以下、第１出口とする）と、凍結防止用戻り接続口２５に向かって循環液を送り出す出口（以下、第２出口とする）とを有している。そして、この三方弁５２は、水熱交換器１３を通過した循環液が十分に高温となっている場合には、第１出口を開いて、往き・戻り接続口２６を介して貯湯タンク２内の上部領域に循環液を返流し、水熱交換器１３を通過した循環液が十分に高温となっていない場合には、第２出口を開いて、凍結防止用戻り接続口２５を介して貯湯タンク２内の下部領域に循環液を返流する。従って、ヒートポンプユニット１の起動時や凍結防止運転時に、十分に高温とならない循環液が貯湯タンク２内の上部領域に返流されるのを防止することができる。これにより、十分に高温になっていない循環液が貯湯タンク２内の上部領域に返流されることに起因して、貯湯タンク２内の温度分布が乱れるのを防止することができる。このようにして、貯湯タンク２内では、上部領域に比較的高温の循環液が位置し、下部領域に比較的低温の循環液温水が位置するように液層（温度分布）が形成される。この三方弁５２の切り替えは、後述する制御部６によって行われる。
【００５５】
温度センサ５３は、水熱交換器１３から三方弁５２に向かう循環液の温度（ヒートポンプユニット１によって沸き上げられた循環液の温度）を検出するために設けられている。この温度センサ５３によって検出される温度を示す信号は、後述する制御部６に送信される。
【００５６】
制御部６は、外気温度センサ１８により検出される温度（外気温度）を示す信号、室内温度センサ（図示せず）により検出される温度（室内温度）を示す信号、暖房用循環回路４上の温度センサ４４により検出される温度（往き循環液温度）を示す信号、温度センサ４５により検出される温度（戻り循環液温度）を示す信号、及び、後述するリモコン１００ｂによって設定される温度（暖房設定温度Ｔ１、給湯設定温度Ｔ２）に係る信号等を受信し、それらの各種信号に基づいて、暖房給湯装置１００ａの各部の動作を統括する。具体的には、この制御部６は、外気温度センサ１８により検出される温度（外気温度）を示す信号に基づいて、その外気温度が高い時は、混合弁４２を調節してバイパス配管４１からの循環液の流入量を増加させることで往き循環液温度を下げたり、循環ポンプ４６の回転数を下げて循環する循環液の流量を抑えることで戻り循環液温度を下げる。一方、外気温度が低い時は、混合弁４２を調節してバイパス配管４１からの循環液の流入量を減少又は停止させることで往き循環液温度を上げたり、循環ポンプ４６の回転数を上げて循環する循環液の流量を増加させることで戻り循環液温度を上げる。
【００５７】
また、この制御部６は、貯湯タンク２に取り付けられる複数の温度センサ２２により検出される温度（貯湯タンク２内の各位置における循環液の温度）を示す信号に基づいて、三方弁４３の切り替えを行い、貯湯タンク２内の上部領域から循環液を取り出すか、貯湯タンク２の中央部近傍から循環液を取り出すかを制御する。また、貯湯タンク２に取り付けられる温度センサ２２によって検出される貯湯タンク２内の下部領域の循環液の温度を示す信号は、圧縮機１２および循環ポンプ５１のＯＮ／ＯＦＦ制御に使用される。
【００５８】
さらに、この制御部６は、水熱交換器１３と三方弁５２との間に設けられる温度センサ５３により検出される温度（ヒートポンプユニット１によって沸き上げられた循環液の温度）に基づいて、三方弁５２の切り替えを行い、当該循環液を貯湯タンク２内の上部領域に返流するか、当該循環液を貯湯タンク２内の下部領域に返流するかを制御する。
【００５９】
そして、本実施形態では、制御部６は、上記した給湯検知手段３４により送信される給湯ＯＮ／ＯＦＦ信号に基づいて、後述する各リモコン１００ｂに当該給湯ＯＮ／ＯＦＦ信号を送信する。
【００６０】
リモコン１００ｂは、上記した制御部６と有線又は無線により通信可能に接続されており、その制御部６から送信される給湯ＯＮ／ＯＦＦ信号の受信や、後述するボタン１０１及び１０２の操作により設定される暖房設定温度Ｔ１及び給湯設定温度Ｔ２に係る信号の送信が可能となっている。このリモコン１００ｂは、リビングやキッチンなどに設置され、給湯端末Ｂ（風呂、キッチンなど）にて供給される水の給湯温度の設定や、ラジエータＡが設置される部屋の室内温度の設定を行う機能を有している。このリモコン１００ｂは、図３に示すように、ラジエータＡが設置される部屋の室内温度の設定を行うための暖房温度設定ボタン１０１と、給湯端末Ｂにて供給される水の給湯温度の設定を行うための給湯温度設定ボタン１０２と、当該ボタン１０１及び１０２の操作により設定される暖房設定温度Ｔ１及び給湯設定温度Ｔ２を表示可能な共通の表示部１０３と、制御部１０４とを有している。
【００６１】
表示部１０３には、暖房設定温度Ｔ１、給湯設定温度Ｔ２、給湯中であることを示すシャワーマークＭ１、及び、ボタンの操作が無効であること示す警告表示（図中では、「ＮＯＴ  ＡＶＡＩＬＡＢＬＥ」）Ｍ２が表示されるようになっている。また、本実施形態では、、暖房設定温度Ｔ１と給湯設定温度Ｔ２とは、同一の表示領域に表示されている。そして、この表示部１０３には、通常暖房設定温度Ｔ１が表示されるようになっており、給湯停止中（給湯ＯＦＦ信号受信中）に給湯温度設定ボタン１０２が操作されたときに限り、給湯設定温度Ｔ２が表示されるようになっている。
【００６２】
制御部１０４は、暖房給湯装置１００ａの制御部６から送信される各種信号や上記したボタン１０１、１０２の操作に係る信号に基づいて、表示部１０３の表示を変更したり、ボタン１０１、１０２の操作により設定される暖房設定温度Ｔ１及び給湯設定温度Ｔ２に係る信号を制御部６に送信したりする。
【００６３】
図４は、給湯停止中におけるリモコンの操作に係る表示部を示した図であり、図５は、給湯中におけるリモコンの操作に係る表示部を示した図である。以下、図４及び図５を参照して、給湯停止中及び給湯中におけるリモコン１００ｂの操作に係る表示について詳細に説明する。
【００６４】
まず、制御部１０４は、給湯ＯＦＦ信号受信中（給湯停止中）には、図４（ａ）に示すように、表示部１０３に、暖房設定温度Ｔ１（図中では、「２６．０」）を表示する。そして、この給湯停止中に、ユーザにより暖房温度設定ボタン１０１が操作された場合には、制御部１０４は、図４（ｂ）に示すように、暖房設定温度Ｔ１の表示を変更する（図中では、「２７．０」）。この際、制御部１０４は、その設定変更後の暖房設定温度Ｔ１に係る信号を制御部６に送信する。また、この給湯停止中に、ユーザにより給湯温度設定ボタン１０２が操作された場合には、制御部１０４は、図４（ｃ）に示すように、暖房設定温度Ｔ１の表示を給湯設定温度Ｔ２に切り替え（図中では、「４０．０」）、且つ、シャワーマークＭ１を点滅させる。つまり、本実施形態では、給湯検知手段３４により給湯端末Ｂにおいて給湯中でないと検知された場合で、且つ、給湯温度設定ボタン１０２が操作されたときには、当該給湯温度設定ボタン１０２の操作に係るリモコン１００ｂの表示部１０３において、給湯設定温度Ｔ２に加えて、シャワーマークＭ１が点滅して表示される。なお、この状態で、５秒間操作が行われないと、制御部１０４は、図４（ａ）の表示に戻す。そして、シャワーマークＭ１が点滅中に、ユーザにより給湯温度設定ボタン１０２が操作されると、制御部１０４は、給湯設定温度Ｔ２の表示を変更する。この際、制御部１０４は、その設定変更後の給湯設定温度Ｔ２に係る信号を制御部６に送信する。
【００６５】
次に、制御部１０４は、給湯ＯＮ信号受信中（給湯中）には、図５（ａ）に示すように、表示部１０３に、暖房設定温度Ｔ１（図中では、「２６．０」）及びシャワーマークＭ１を表示する。このとき、本実施形態では、全てのリモコン１００ｂにおいて、給湯設定温度Ｔ２の変更が禁止される。この給湯中に、ユーザにより暖房温度設定ボタン１０１が操作された場合には、制御部１０４は、図５（ｂ）に示すように、暖房設定温度Ｔ１の表示を変更する（図中では、「２７．０」）。この際、制御部１０４は、その設定変更後の暖房設定温度Ｔ１に係る信号を制御部６に送信する。また、この給湯中に、ユーザにより給湯温度設定ボタン１０２操作された場合には、制御部１０４は、図５（ｃ）に示すように、警告表示Ｍ２を表示する。つまり、給湯検知手段３４により給湯端末Ｂにおいて給湯中であると検知された場合で、且つ、給湯温度設定ボタン１０２の操作が行われたときには、当該給湯温度設定ボタン１０２の操作に係るリモコン１００ｂの表示部１０３において、警告表示Ｍ２が表示される。この際にも、表示部１０３には、暖房設定温度Ｔ１が表示され、給湯設定温度Ｔ２は表示されない。
【００６６】
［本実施形態の暖房給湯システム１００の特徴］
本実施形態の暖房給湯システム１００には、以下のような特徴がある。
【００６７】
本実施形態の暖房給湯システム１００では、給湯検知手段３４により給湯端末Ｂにおいて給湯中であると検知された場合には、全てのリモコン１００ｂにおいて、給湯設定温度Ｔ２の変更が禁止されるので、ユーザが給湯中に暖房設定温度Ｔ１を変更しようとして給湯温度設定ボタン１０２を誤操作したとしても、給湯設定温度Ｔ２が変更されない。これにより、当該誤操作によって、給湯端末Ｂにてユーザが意図しない温度の水が供給されてしまうのを確実に防止することができる。
【００６８】
また、本実施形態の暖房給湯システム１００では、給湯設定温度Ｔ２と暖房設定温度Ｔ１とが表示部１０３の同一の表示領域に表示されることで、上記した誤操作を招き易い場合でも、当該誤操作によって、給湯端末Ｂにてユーザが意図しない温度の水が供給されてしまうのを抑制することができる。
【００６９】
また、本実施形態の暖房給湯システム１００では、給湯検知手段３４により給湯端末Ｂにおいて給湯中であると検知された場合には、リモコン１００ｂの表示部１０３において、シャワーマークＭ１が表示されるので、ユーザに給湯中であることを報知することができる。
【００７０】
また、本実施形態の暖房給湯システム１００では、給湯検知手段３４により給湯端末Ｂにおいて給湯中であると検知された場合に給湯温度設定ボタン１０２の操作が行われたときには、リモコン１００ｂの表示部１０３において、操作無効である旨が表示されるので、当該操作によっては給湯設定温度Ｔ２の変更ができないことをユーザに報知することができる。
【００７１】
また、本実施形態の暖房給湯システム１００では、給湯検知手段３４により給湯端末Ｂにおいて給湯中でないと検知された場合に給湯温度設定ボタン１０２が操作されたときに限り、リモコン１００ｂの表示部１０３において、給湯設定温度Ｔ２が表示されるので、給湯設定温度Ｔ２を変更できるときに限り給湯設定温度Ｔ２を表示することで、誤操作を抑制することができる。
【００７２】
また、本実施形態の暖房給湯システム１００では、給湯検知手段３４により給湯端末Ｂにおいて給湯中でないと検知された場合に給湯温度設定ボタン１０２が操作されたときに限り、リモコン１００ｂの表示部１０３において、給湯設定温度Ｔ２に加えて、シャワーマークＭ１が点滅して表示されるので、給湯設定温度Ｔ２を変更していることをユーザに報知することができる。
【００７３】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００７４】
例えば、上記実施形態では、ヒートポンプユニットにおいてＣＯ２冷媒を使用する例について説明したが、本発明はこれに限らず、ＮＨ３冷媒やＲ２２冷媒などを使用してもよい。また、暖房端末としてラジエータを使用したが、これに代えて、あるいはこれと併用して、床暖房パネルやファンコイルなどを使用してもよい。
【００７５】
また、上記実施形態では、過冷却熱交換器１４を有するヒートポンプユニット１を用いる例について説明したが、本発明はこれに限らず、過冷却熱交換器１４を有さないヒートポンプユニットを用いてもよい。
【００７６】
また、上記実施形態では、給湯中に全ての（２つの）リモコン１００ｂにおいて給湯設定温度Ｔ２の変更が禁止されることを説明したが、本発明はこれに限らず、給湯中に少なくとも１つのリモコンにおいて給湯設定温度の変更が禁止されてもよい。
【００７７】
また、上記実施形態では、複数（２個）のリモコンを備えた暖房給湯システムについて説明したが、本発明はこれに限らず、１つのリモコンを備えた暖房給湯システムであってもよい。この際、当該リモコンが給湯検知手段により給湯端末において給湯中であると検知された場合に給湯設定温度の変更が禁止される。
【００７８】
また、上記実施形態では、暖房設定温度Ｔ１と給湯設定温度Ｔ２とが同一の表示領域に表示される例について説明したが、本発明はこれに限らず、暖房設定温度Ｔ１と給湯設定温度Ｔ２とを別々の表示領域に表示してもよい。
【産業上の利用可能性】
【００７９】
本発明を利用すれば、ユーザの誤操作によって給湯中に給湯温度の設定が変更されるのを防止することができる。
【図面の簡単な説明】
【００８０】
【図１】本発明の一実施形態に係る暖房給湯システムの構成を示す模式図である。
【図２】図１に示した暖房給湯システムの貯湯タンク及び給湯用熱交換器の詳細を示した断面図である。
【図３】図１に示した暖房給湯システムのリモコンを示した正面図である。
【図４】給湯停止中におけるリモコンの操作に係る表示部を示した図である。
【図５】給湯中におけるリモコンの操作に係る表示部を示した図である。
【図６】従来の一例による暖房給湯システムのリモコンを示した図である。
【符号の説明】
【００８１】
１００  暖房給湯システム
１  ヒートポンプユニット
２  貯湯タンク
３２  出湯流路
４  暖房用循環回路（循環路）
３４  給湯検知手段
１００ｂ  リモコン（コントローラ）
１０１  暖房温度設定ボタン（暖房温度入力部）
１０２  給湯温度設定ボタン（給湯温度入力部）
１０３  表示部
Ａ  ラジエータ（暖房端末）
Ｂ  給湯端末
【図１】
2009287891.tif 000003
【図２】
2009287891.tif 000004
【図３】
2009287891.tif 000005
【図４】
2009287891.tif 000006
【図５】
2009287891.tif 000007
【図６】
2009287891.tif 000008